(57)【要約】【課題】異方性反射の不連続が目立たない版下データを作成する異方性反射媒体作成装置等を提供する。【解決手段】異方性反射媒体作成装置１は、多角形生成手段３３により、ユーザが任意に設定した多角形の形状でセルを形成し、パラメータ入力手段３５により、セルに描画する微細条溝パターンのライン幅、スペース幅、セル枠の設定等を設定する。対象領域の全画素について、所属セル判定手段３７により、注目画素が含まれるセルを判定し、画素値判定手段３９により、多角形のセルの重心に対応する位置のベクトル場の値を微細条溝パターンの傾きとし、セル内に微細条溝パターンを描画することにより、異方性反射の不連続が目立たない版下データ４１を作成する。【選択図】図４
2010122416.tif 000002
【特許請求の範囲】
【請求項１】
表面が微細条溝パターンによって立体加工される異方性反射媒体を作成する異方性反射媒体作成装置であって、
前記微細条溝パターンの向きの分布を示すベクトル場データを保持する手段と、
前記微細条溝パターンのライン幅、スペース幅、セルサイズ等のパラメータを入力するパラメータ入力手段と、
多角形セルの頂点データを作成する多角形生成手段と、
注目画素が含まれる多角形セルを判定する所属セル判定手段と、
前記注目画素が含まれる多角形セルの重心に対応する位置の前記ベクトル場データと、前記パラメータを用いて、前記注目画素の画素値を判定する画素値判定手段と、
前記画素値の集合を版下データとして保持する手段と、
を具備することを特徴とする異方性反射媒体作成装置。
【請求項２】
前記多角形生成手段は、多角形セルの重心点の位置を算出し、前記重心点及び前記セルサイズに基づいて、前記頂点データを作成することを特徴とする請求項１記載の異方性反射媒体作成装置。
【請求項３】
前記画素値判定手段は、多角形セルの前記重心点に対応する位置の前記ベクトル場データを多角形セルの微細条溝パターンの傾きとし、前記微細条溝パターンの傾きと前記パラメータに基づいて、前記注目画素が前記微細条溝パターンのラインとなるかスペースとなるかを判定することを特徴とする請求項１記載の異方性反射媒体作成装置。
【請求項４】
前記パラメータ入力手段は、更に、多角形セルの枠の有無を入力することを特徴とする請求項１記載の異方性反射媒体作成装置。
【請求項５】
表面が微細条溝パターンによって立体加工される異方性反射媒体を作成する異方性反射媒体作成方法であって、
前記微細条溝パターンの向きの分布を示すベクトル場データおよび前記微細条溝パターンのライン幅、スペース幅、セルサイズ等のパラメータを記憶部に保持しており、
多角形セルの頂点データを作成する多角形生成ステップ、
を含み、
注目画素が含まれる多角形セルを判定する所属セル判定ステップと、
前記注目画素が含まれる多角形セルの重心に対応する位置の前記ベクトル場データと、前記パラメータを用いて、前記注目画素の画素値を判定する画素値判定ステップと、
を前記注目画素ごとに繰り返すことによって、版下データを作成することを特徴とする異方性反射媒体作成方法。
【請求項６】
コンピュータを請求項１から請求項４のいずれかに記載の異方性反射媒体作成装置として機能させるプログラム。
【発明の詳細な説明】
【技術分野】
【０００１】
本発明は、表面が微細条溝パターンによって立体加工される異方性反射媒体を作成する異方性反射媒体作成装置、異方性反射作成方法、及びプログラムに関する。
【背景技術】
【０００２】
従来から、紙、プラスチック、金属といった媒体上に、異方性反射現象を起こす異方性反射特性を有する画像を実体化し、画像を表現するという方法がある。
尚、異方性反射現象とは、媒体の平滑な表面に対し、向きの揃った細かい傷をつけると、媒体の表面に対して入射した光が正反射方向ではない方向に強く反射する現象をいう。以下、異方性反射現象を起こす性質を異方性反射特性ということとする。また、異方性反射現象が生じる表面を持つ媒体を異方性反射媒体ということとする。
【０００３】
特許文献１では、異方性反射現象を起こす異方性反射特性を有する画像を実体化し、画像の立体感を表現する方法が提案されている。この方法は、異方性反射現象を利用して三次元形状の反射の変化を表現し、画像の立体感を表現する。
特許文献１に記載されている方法では、図２２に示すように、画面全体を微細な正方形のセル２１に分割し、各セル２１に対応する位置でのベクトル場の値に基づいて、各セル２１における微細条溝パターン２３の向きである条溝角度２５を決定する。そして、図２３に示すように、条溝角度２５を有する微細条溝パターン２３を媒体に形成することで、媒体を観察するときに三次元的な反射像が得られる。
【０００４】
【特許文献１】特開２００７−２４８５５２号公報
【発明の開示】
【発明が解決しようとする課題】
【０００５】
しかしながら、上記に示すセルを正方形に形成する方法では、正方形（長方形も同様）が人間の視覚特性として敏感に知覚されるため、特に、微細条溝パターンの曲率が大きい箇所や、向きが極端に変化する箇所では異方性反射の不連続が目立ち、意匠性を欠く場合がある。
【０００６】
本発明は、前述した問題点に鑑みてなされたもので、その目的は、異方性反射の不連続が目立たない版下データを作成する異方性反射媒体作成装置等を提供することである。
【課題を解決するための手段】
【０００７】
前述した目的を達成するために第１の発明は、表面が微細条溝パターンによって立体加工される異方性反射媒体を作成する異方性反射媒体作成装置であって、前記微細条溝パターンの向きの分布を示すベクトル場データを保持する手段と、前記微細条溝パターンのライン幅、スペース幅、セルサイズ等のパラメータを入力するパラメータ入力手段と、多角形セルの頂点データを作成する多角形生成手段と、注目画素が含まれる多角形セルを判定する所属セル判定手段と、前記注目画素が含まれる多角形セルの重心に対応する位置の前記ベクトル場データと、前記パラメータを用いて、前記注目画素の画素値を判定する画素値判定手段と、前記画素値の集合を版下データとして保持する手段と、を具備することを特徴とする異方性反射媒体作成装置である。
【０００８】
前記多角形生成手段は、多角形セルの重心点の位置を算出し、前記重心点及び前記セルサイズに基づいて、前記頂点データを作成する。
前記画素値判定手段は、多角形セルの前記重心点に対応する位置の前記ベクトル場データを多角形セルの微細条溝パターンの傾きとし、前記微細条溝パターンの傾きと前記パラメータに基づいて、前記注目画素が前記微細条溝パターンのラインとなるかスペースとなるかを判定する。
これにより、ユーザが任意に設定した多角形の形状でセルを形成し、多角形の重心に対応する位置のベクトル場の値を微細条溝パターンの傾きとし、セル内に微細条溝パターンを描画することにより、異方性反射の不連続が目立たない版下データを作成し、盛り上げ印刷やエンボス加工等を行うことで、立体的な形状や意匠性の高い模様が認識できる異方性反射を実現する。
【０００９】
前記パラメータ入力手段は、更に、多角形セルの枠の有無を入力する。
一般に、異方性反射媒体の金型は、圧をかけて微細条溝パターンを転写して作成するが、このとき、条溝の中の空気が抜けず、微細条溝パターンがうまく転写されない場合があるため、セルに枠をつけることで空気を抜くという方法がある。そのため、ユーザが版下データを作成する際に各セルに枠をつけるか否かを設定できるようにしても良い。セルに枠をつける場合、セルの枠幅も設定する。
【００１０】
第２の発明は、表面が微細条溝パターンによって立体加工される異方性反射媒体を作成する異方性反射媒体作成方法であって、前記微細条溝パターンの向きの分布を示すベクトル場データおよび前記微細条溝パターンのライン幅、スペース幅、セルサイズ等のパラメータを記憶部に保持しており、多角形セルの頂点データを作成する多角形生成ステップ、を含み、注目画素が含まれる多角形セルを判定する所属セル判定ステップと、前記注目画素が含まれる多角形セルの重心に対応する位置の前記ベクトル場データと、前記パラメータを用いて、前記注目画素の画素値を判定する画素値判定ステップと、を前記注目画素ごとに繰り返すことによって、版下データを作成することを特徴とする異方性反射媒体作成方法である。
【００１１】
第３の発明は、コンピュータを第１の発明の異方性反射媒体作成装置として機能させるプログラムである。
【発明の効果】
【００１２】
本発明により、異方性反射の不連続が目立たない版下データを作成する異方性反射媒体作成装置等を提供することができる。
【発明を実施するための最良の形態】
【００１３】
以下図面に基づいて、本発明の実施形態を詳細に説明する。
【００１４】
図１は、本発明に係る異方性反射媒体作成装置１を実現するコンピュータのハードウェア構成図である。尚、図１のハードウェア構成は一例であり、用途、目的に応じて様々な構成を採ることが可能である。
異方性反射媒体作成装置１は、制御部３、記憶部５、メディア入出力部７、通信制御部９、入力部１１、表示部１３、周辺機器Ｉ／Ｆ部１５等が、バス１７を介して接続される。
【００１５】
制御部３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００１６】
ＣＰＵは、記憶部５、ＲＯＭ、記録媒体等に格納されるプログラムをＲＡＭ上のワークメモリ領域に呼び出して実行し、バス１７を介して接続された各装置を駆動制御し、異方性反射媒体作成装置１が行う後述する処理（図５等参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部５、ＲＯＭ、記録媒体等からロードしたプログラム、データ等を一時的に保持するとともに、制御部３が各種処理を行う為に使用するワークエリアを備える。
【００１７】
記憶部５は、ＨＤＤ（ハードディスクドライブ）であり、制御部３が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。
これらの各プログラムコードは、制御部３により必要に応じて読み出されてＲＡＭに移され、ＣＰＵに読み出されて各種の手段として実行される。
【００１８】
メディア入出力部７（ドライブ装置）は、データの入出力を行い、例えば、フロッピー（登録商標）ディスクドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
【００１９】
通信制御部９は、通信制御装置、通信ポート等を有し、コンピュータとネットワーク１９間の通信を媒介する通信インタフェースであり、ネットワーク１９を介して、他のコンピュータ間との通信制御を行う。
【００２０】
入力部１１は、データの入力を行い、例えば、キーボード、マウス等のポインティングデバイス、テンキー等の入力装置を有する。
入力部１１を介して、コンピュータに対して、操作指示、動作指示、データ入力等を行うことができる。
【００２１】
表示部１３は、ＣＲＴモニタ、液晶パネル等のディスプレイ装置、ディスプレイ装置と連携してコンピュータのビデオ機能を実現するための論理回路等（ビデオアダプタ等）を有する。
【００２２】
周辺機器Ｉ／Ｆ（インタフェース）部１５は、コンピュータに周辺機器を接続させるためのポートであり、周辺機器Ｉ／Ｆ部１５を介してコンピュータは周辺機器とのデータの送受信を行う。周辺機器Ｉ／Ｆ部１５は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００２３】
バス１７は、各装置間の制御信号、データ信号等の授受を媒介する経路である。
【００２４】
次に、図２、３、４を参照しながら、異方性反射媒体作成装置１の機能を実現する構成について説明する。
図２は、ベクトル場データにおいて正六角形の形状のセルを生成した例を示す図、図３は、セルの形状が六角形の場合の版下データの一例を示す図、図４は、異方性反射媒体作成装置１の機能の概要を示すブロック図である。
【００２５】
図２に示すように、異方性反射媒体作成装置１は、セル２１の形状をユーザが任意に設定した多角形、例えば六角形にし、多角形の重心２７に対応する位置のベクトル場の値を微細条溝パターンの傾きとし、図３に示すように、セル２１内に微細条溝パターン２３を描画する。
【００２６】
図４に示すように、異方性反射媒体作成装置１は、ベクトル場データ３１、多角形生成手段３３、パラメータ入力手段３５、所属セル判定手段３７、画素値判定手段３９、版下データ４１等を備える。
【００２７】
ベクトル場データ３１は、微細条溝パターンの向きの分布を記録したデータで、例えば、微細条溝パターンの−４５度から４５度の範囲の向きを０から２５５の画素値に置き換えた画像である。異方性反射媒体を作成する場合、セル２１の重心２７に対応するベクトル場データ３１の位置を取得し、この位置のベクトル値を微細条溝パターンの傾きとする。
【００２８】
多角形生成手段３３は、ユーザが任意に設定した形状で対象領域全体を分割し、設定した多角形の辺の数、各セルの頂点の座標等のデータを保持する。各セルには、セルＩＤを付与する。
パラメータ入力手段３５は、異方性反射媒体を作成するための微細条溝パターンのラインの太さを示すライン幅、ライン同士の間隔を示すスペース幅、セルの大きさ（例えば、セルの辺の長さ）を示すセルサイズ、セルに枠をつけるか否かの設定等の各種パラメータを、異方性反射媒体装置１の入力部１１等を介して入力する。
【００２９】
所属セル判定手段３７は、注目する画素が対象領域の中のどのセルに含まれるかを判定し、セルＩＤを取得する。
画素値判定手段３９は、所属セル判定手段３７により取得したセルＩＤと、パラメータ入力手段３５で設定した各種パラメータを用いて、注目する画素の画素値を判定する。
版下データ４１は、画素値判定手段３９によって判定した画素値の集合である。版下データ４１は、任意の形状で分割されたセル毎に固有の角度を有する微細条溝パターンが表現されたものである。
【００３０】
次に、図５から図２１を参照しながら、本発明に係る異方性反射媒体作成装置１の詳細について説明する。
図５は、異方性反射媒体作成装置１が行う版下データ作成処理の流れを示すフローチャート、図６は、同行に並ぶセルの重心間の距離ｒＷの算出の一例を示す図、図７は、同列に並ぶセルの重心間の距離ｒｈの算出の一例を示す図、図８は、多角形の重心を表す点列データの作成の一例を示す図、図９は、生成した多角形のセルの頂点の一例を示す図、図１０は、パラメータ入力手段３５により入力するスペース幅５１、ライン幅５３を示す図、図１１は、注目画素６１の一例を示す図、図１２は、セル２１内にある注目画素６１の所属セル判定の一例を示す図、図１３は、セル２１の外にある注目画素６１の所属セル判定の一例を示す図、図１４は、画素値判定手段３９の処理の流れを示すフローチャート、図１５は、注目画素６１の画素値算出の一例を示す図、図１６は、注目画素６１がラインかスペースかの判定の一例を示す図であり、重心をローカル座標の原点とし、原点がライン、ピッチ幅５２でラインとスペースが並んだ図である。図１７は、版下データ４１と異方性反射媒体の金型７１の一例を示す図、図１８は、正方形、正六角形のセル（枠なし）で作成した版下データを拡大表示した一例を示す図、図１９は、正方形、正六角形のセル（枠あり）で作成した版下データを拡大表示した一例を示す図、図２０は、正方形、正六角形のセル（枠なし）で作成した版下データの一例を示す図、図２１は、正方形、正六角形のセル（枠あり）で作成した版下データの一例を示す図である。
【００３１】
異方性反射媒体作成装置１の制御部３は、多角形生成手段３３により、対象領域全体に充填する任意の形状のセルの集合データを作成する（ステップＳ１０１）。
最初に、対象領域全体に、設定した多角形の重心の点が並んだ点列データを作成する。例えば、セル２１の形状が正六角形で、セル２１のセルサイズ２２が１．０の場合を考える。正六角形の内角β＝６０°であるから、図６に示すように、同行に並ぶセル２１の重心２７の間の距離ｒＷは、ｒＡ＝１．０・ｃｏｓβ・２＝１．０、ｒＢ＝１．０、ｒＣ＝１．０・ｃｏｓβ・２＝１より、ｒＷ＝ｒＡ＋ｒＢ＋ｒＣ＝３．０と算出できる。また、図７に示すように、同列に並ぶセル２１の重心２７の間の距離ｒｈは、ｒＤ＝ｒＥ＝１．０・ｓｉｎβ＝（３＾（１／２））／２、であるから、ｒｈ＝ｒＤ＋ｒＥ＝３＾（１／２）と算出できる。但し、ｘ＾ｙは、ｘのｙ乗を示す。このように算出したｒＷ、ｒｈを用いて、図８に示すようにセル２１の重心２７を示す点列データを作成する。
次に、算出した重心２７を中心とし、図９に示すように、対象領域全体に一辺の長さが１．０の正六角形のセル２１を充填し、セル２１の頂点２８の座標ｐ０＝(ｐ０ｘ，ｐ０ｙ)、ｐ１＝(ｐ１ｘ，ｐ１ｙ)、・・・ｐ５＝(ｐ５ｘ，ｐ５ｙ)、をデータとして保持する。また、生成した正六角形のセルを一意に識別するセルＩＤを付与する。
【００３２】
異方性反射媒体作成装置１の制御部３は、パラメータ入力手段３５により、入力部１１を介してユーザが任意で設定する各種パラメータを入力する（ステップＳ１０２）。
例えば、図１０に示すように、セル２１内の微細条溝パターンのライン同士の間隔を示すスペース幅５１、ラインの太さを示すライン幅５３等のパラメータを入力する。微細条溝パターンのラインのピッチ幅５２は、スペース幅５１、ライン幅５３から求めることができる。
異方性反射媒体の作製工程では、例えば、図１７に示すような金型７１を用いて、プラスチック、紙等のシートの表面に微細条溝パターンを立体加工する。金型７１の凸部７５は、版下データ４１のライン、すなわち黒に対応する。金型７１の凹部７３は、版下データ４１のスペース、すなわち白に対応する。異方性反射媒体の表面には、版下データ４１のライン、すなわち黒が条溝として形成される。
尚、異方性反射媒体の作製工程において、条溝の中の空気が抜けず、微細条溝パターンがうまく媒体に転写されない場合があるため、各セルに枠をつけることで空気を抜くという方法がある。そのため、ユーザが版下データを作成する際に各セルに枠をつけるか否かを設定できるようにしても良い。セルに枠をつける場合、セルの枠幅も設定する。
【００３３】
異方性反射媒体作成装置１の制御部３は、所属セル判定手段３７により、対象領域全体の各画素について、図１１に示すように、注目画素６１がどのセル２１に含まれるかを判定し、注目画素６１が含まれるセル２１のセルＩＤを取得する（ステップＳ１０３）。
図１２に示すように、制御部３は、セル２１の頂点ｐ０＝(ｐ０ｘ，ｐ０ｙ)、ｐ１＝(ｐ１ｘ，ｐ１ｙ)を結んだベクトルｖと、頂点ｐ０と注目画素６１を結んだベクトルｗの外積を求め、外積の値が０以上となるセル２１を、注目画素６１が含まれるセルとして判定する。
【００３４】
以下、外積を求めることで、注目画素６１が含まれるセル２１が判定できることについて説明する。注目画素６１の座標をｃ＝(ｃｘ，ｃｙ)、セル２１のｎ番目の頂点の座標をｐｎ＝(ｐｎｘ，ｐｎｙ)とすると、ベクトルｖ＝（ｐ（ｎ＋１）ｘ−ｐｎｘ，ｐ（ｎ＋１）ｙ−ｐｎｙ）、ｗ＝（ｃｘ−ｐｎｘ，ｃｙ−ｐｎｙ）と定義される。座標ｃ＝(ｃｘ，ｃｙ)の注目画素６１が正六角形のセル２１内に含まれる場合、ベクトルの外積はｖ０×ｗ０≧０，ｖ１×ｗ１≧０，ｖ２×ｗ２≧０，ｖ３×ｗ３≧０，ｖ４×ｗ４≧０，ｖ５×ｗ５≧０が成立する。一方、注目画素６１がセル２１の辺上にある場合、外積の値は０となる。例えば、図１３に示すように注目画素６１がセル２１に含まれない場合、ｖ１×ｗ１≧０が成立せず、注目画素６１はこのセル２１には含まれないということがわかる。
【００３５】
異方性反射媒体作成装置１の制御部３は、画素値判定手段３９により、ステップＳ１０３で得たセルＩＤと、ステップＳ１０２で設定した各種パラメータを用いて、注目画素６１の画素値を判定する（ステップＳ１０４）。
【００３６】
図１４を参照し、ステップＳ１０４の注目画素６１の画素値判定の処理の詳細を説明する。
異方性反射媒体作成装置１の制御部３は、ベクトル場データ３１を参照し、注目画素６１が含まれるセル２１の重心２７の座標ｏ＝(ｏｘ，ｏｙ)に対応する位置のベクトル場の値を、セル２１全体の微細条溝パターンの傾きθとする（ステップＳ２０１）。また、座標ｃ＝(ｃｘ，ｃｙ)の注目画素６１に対して、セルの重心２７から見たローカル座標ｄ＝(ｄｘ，ｄｙ)＝（ｃｘ−ｏｘ，ｃｙ−ｏｙ)を算出する（ステップＳ２０２）。ローカル座標とは、注目画素６１が含まれるセルの重心２７を原点としたときの座標を意味する。
【００３７】
異方性反射媒体作成装置１の制御部３は、ステップＳ１０２のパラメータ入力で、セルに枠をつけると設定されたかどうか判定し（ステップＳ２０３）、セルに枠をつける場合、注目画素６１がセルの枠上にあるかどうかを判定する（ステップＳ２０４）。
注目画素６１がセル２１の枠上にあるかどうかの判定では、注目画素６１とセル２１（＝注目画素６１が含まれると判定されたセル）の辺との距離ｒを算出する。尚、枠は、６つの頂点の座標で定義されるセル２１の内部にスペース、すなわち白として設けられ、各辺に沿ってｒ’の幅を持つものとする。ステップＳ１０２で入力されたセルの一辺の長さをｌとすると、式ｒ＝（ｖ×ｗ）／ｌにより注目画素６１とセル２１の辺との距離ｒを算出し、ステップＳ１０２で入力されたセルの枠幅ｒ’と比較し、ｒ≦ｒ’の場合、注目画素６１はセル２１の枠上にあると判定する。この判定は、全ての頂点の座標について行われる。
【００３８】
注目画素６１がセル２１の枠上にあると判定した場合、注目画素６１はスペース、すなわち白とする（ステップＳ２０５）。
【００３９】
注目画素６１がセル２１の枠上にはないと判定した場合、異方性反射媒体作成装置１の制御部３は、注目画素６１のローカル座標ｄ＝(ｄｘ，ｄｙ)と微細条溝パターンの傾きθから、注目画素６１の画素値、すなわち、注目画素６１が微細条溝パターンのライン上にあるか、あるいはスペースにあるかを判定する（ステップＳ２０６）。
注目画素６１のローカル座標ｄ＝(ｄｘ，ｄｙ)を通る傾きθの直線について、図１５に示すように、ｙ軸との切片の座標（０，ｙ）を算出する。微細条溝パターンのラインは、セル２１内の傾きθの線分として表わされるから、注目画素６１のローカル座標ｄ＝(ｄｘ，ｄｙ)と、切片（０，ｙ）の画素値は同一となる。従って、注目画素６１が微細条溝パターンのライン上にあるか、あるいはスペースにあるかを判定するためには、注目画素５１の画素値を算出する代わりに、切片（０，ｙ）における画素値を算出すれば良い。
【００４０】
切片（０，ｙ）の画素値を求めるには、まず、微細条溝パターンのピッチ幅５２のｙ方向の長さｈ１と、ライン幅５３のｙ方向の長さｈ２を算出する。ピッチ幅５２をｗ１、ライン幅をｗ２とすると、式ｈ１＝ｗ１／ｃｏｓθ、ｈ２＝ｗ２／ｃｏｓθにより求められる。
次に、図１６に示すように、切片（０，ｙ）がセル２１の何番目のピッチに含まれるかを、式ｎ＝［ｙ／ｈ１］により算出する。［ｘ］は、ｘを超えない整数を表す。
ｎ番目のピッチのｙ軸上の下端（０，ｙｄ）を式ｙｄ＝ｎ・ｈ１により算出し、切片（０，ｙ）が微細条溝パターンのラインかスペースかを判定する。ｙ−ｙｄ≧ｈ２の場合、切片（０，ｙ）はラインとなるため、注目画素６１もライン、すなわち黒となる。ｙ−ｙｄ＜ｈ２の場合、切片（０，ｙ）はスペースとなるため、注目画素６１もスペース、すなわち白となる。
【００４１】
異方性反射媒体作成装置１の制御部３は、対象領域内の全画素について処理したかどうか判定し（ステップＳ１０５）、処理が終了していなければステップＳ１０３に戻り、所属セル判定処理、画素値判定処理を繰り返し実行する。
【００４２】
以上のとおり、異方性反射媒体作成装置１は、異方性反射媒体の作成に用いる版下データ４１を作成する。
異方性反射媒体の作成工程では、前述した異方性反射媒体作成装置１を用いて作成した版下データ４１を基に、盛り上げ印刷やエンボス加工などで媒体の表面に微細条溝パターンを立体加工する。
【００４３】
図１８から図２１は、左側が正方形のセル、右側が正六角形のセルで作成した版下データの一例である。
セルの枠の有無にかかわらず、左側のセルの形状が正方形の版下データと比べて、左側のセルの形状が正方形の版下データの方が、全体を見たときにもセルの形状が知覚しやすく、また、微細条溝パターンの向きの変化により不連続性が目立つ。右側のセルの形状が六角形の版下データは、モザイク上の形状が目立たず、より意匠性が高い。
【００４４】
以上説明したように、本発明に係る異方性反射媒体作成装置は、ユーザが任意に設定した多角形の形状でセルを形成し、多角形の重心に対応する位置のベクトル場の値を微細条溝パターンの傾きとし、セル内に微細条溝パターンを描画することにより、異方性反射の不連続が目立たない版下データを作成し、盛り上げ印刷やエンボス加工等を行うことで、立体的な形状や意匠性の高い模様が認識できる異方性反射を実現する。
【００４５】
以上、添付図面を参照しながら、本発明に係る異方性反射媒体作成装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００４６】
【図１】本発明に係る異方性反射媒体作成装置１を実現するコンピュータのハードウェア構成図
【図２】ベクトル場データにおいて正六角形の形状のセルを生成した例を示す図
【図３】セルの形状が六角形の場合の版下データの一例を示す図
【図４】異方性反射媒体作成装置１の機能の概要を示すブロック図
【図５】異方性反射媒体作成装置１が行う版下データ作成処理の流れを示すフローチャート
【図６】同行に並ぶセルの重心間の距離ｒＷの算出の一例を示す図
【図７】同列に並ぶセルの重心間の距離ｒｈの算出の一例を示す図
【図８】多角形の重心を表す点列データの作成の一例を示す図
【図９】生成した多角形のセルの頂点の一例を示す図
【図１０】パラメータ入力手段３５により入力するスペース幅５１、ライン幅５３を示す図
【図１１】注目画素６１の一例を示す図
【図１２】セル２１内にある注目画素６１の所属セル判定の一例を示す図
【図１３】セル２１の外にある注目画素６１の所属セル判定の一例を示す図
【図１４】画素値判定手段３９の処理の流れを示すフローチャート
【図１５】注目画素６１の画素値算出の一例を示す図
【図１６】注目画素６１がラインかスペースかの判定の一例を示す図
【図１７】版下データ４１と異方性反射媒体の金型７１の一例を示す図
【図１８】正方形、正六角形のセル（枠なし）で作成した版下データを拡大表示した一例を示す図
【図１９】正方形、正六角形のセル（枠あり）で作成した版下データを拡大表示した一例を示す図
【図２０】正方形、正六角形のセル（枠なし）で作成した版下データの一例を示す図
【図２１】正方形、正六角形のセル（枠あり）で作成した版下データの一例を示す図
【図２２】従来技術における版下データの一例を示す図
【図２３】従来技術における正方形のセル２１の一例を示す図
【符号の説明】
【００４７】
１………異方性反射媒体作成装置
３………制御部
５………記憶部
７………メディア入出力部
９………通信制御部
１１………入力部
１３………表示部
１５………周辺機器Ｉ／Ｆ部
１７………バス
１９………ネットワーク
２１………セル
２２………セルサイズ
２３………微細条溝パターン
２５………条溝角度
２７………重心
２８………頂点
３１………ベクトル場データ
３３………多角形生成手段
３５………パラメータ入力手段
３７………所属セル判定手段
３９………画素値判定手段
４１………版下データ
５１………スペース幅
５２………ピッチ幅
５３………ライン幅
６１………注目画素
７１………金型
７３………凹部
７５………凸部
【図１】
2010122416.tif 000003
【図２】
2010122416.tif 000004
【図３】
2010122416.tif 000005
【図４】
2010122416.tif 000006
【図５】
2010122416.tif 000007
【図６】
2010122416.tif 000008
【図７】
2010122416.tif 000009
【図８】
2010122416.tif 000010
【図９】
2010122416.tif 000011
【図１０】
2010122416.tif 000012
【図１１】
2010122416.tif 000013
【図１２】
2010122416.tif 000014
【図１３】
2010122416.tif 000015
【図１４】
2010122416.tif 000016
【図１５】
2010122416.tif 000017
【図１６】
2010122416.tif 000018
【図１７】
2010122416.tif 000019
【図２２】
2010122416.tif 000020
【図２３】
2010122416.tif 000021
【図１８】
2010122416.tif 000022
【図１９】
2010122416.tif 000023
【図２０】
2010122416.tif 000024
【図２１】
2010122416.tif 000025